(57)【要約】      （修正有）【課題】身体から排出された体液を吸収させることが可能で、使用感が良好な吸水性冷却貼付シートを提供する。【解決手段】体液透過性を有する袋体１０と、身体に貼付させるための粘着層６を備え、袋体１０に、冷却用組成物として硝酸アンモニウムと糖とが封入され、身体から排出された体液を吸収することによって、身体の貼付部位を冷却する構成とする。又冷却用組成物が、硝酸アンモニウムを５０〜７０重量％、糖を２０〜４０重量％含む構成とする。【選択図】図１
2012176169.tif 000002
【特許請求の範囲】
【請求項１】
体液透過性を有する袋体と、身体に貼付させるための粘着層を備え、
前記袋体に、冷却用組成物として硝酸アンモニウムと糖とが封入され、
前記身体から排出された体液を吸収することによって、身体の貼付部位を冷却することを特徴とする吸水性冷却貼付シート。
【請求項２】
前記冷却用組成物が、硝酸アンモニウムを５０〜７０重量％、糖を２０〜４０重量％含む請求項１に記載の吸水性冷却貼付シート。
【請求項３】
糖が、ソルビトール、キシリトール、エリスリトールからなる群より選ばれる少なくとも１種である請求項１または２に記載の吸水性冷却貼付シート。
【請求項４】
前記冷却用組成物が、さらに吸収材を含む請求項１から３のいずれかに記載の吸水性冷却貼付シート。
【請求項５】
吸収材が、木粉、キサンタンガム、グアガム、タマリンドシードガム、グルコマンナンからなる群より選ばれる少なくとも１種である請求項４に記載の吸水性冷却貼付シート。
【請求項６】
前記袋体が、外側シートと、身体に貼付する側に位置して、体液透過性を有する内側シートとから構成され、
内面側に粘着層を有し、かつ前記外側シート周縁よりも外方に延びる巾広な固定シートを、前記外側シートの外面側に被着し、
前記粘着層の少なくとも前記外側シート周縁より外方に延びた部分に離型紙を設けてなる請求項１から５のいずれかに記載の吸水性冷却貼付シート。
【発明の詳細な説明】
【技術分野】
【０００１】
本発明は、冷却効果を有する吸水性の貼付シートに関するものである。
【背景技術】
【０００２】
従来、近年、発熱時の冷却、夏場に清涼感を得ること等を目的としてシート状になった冷却シートが用いられている。そして、このようなシート状になった冷却シートとしては、不織布等にポリアクリル酸等の水溶性高分子に水を保有させた粘着性の含水ゲルを付与したものや、これにメントールを含有させたもの等が使用されている（例えば、特許文献１，２など）。また、血行促進効果および老廃物の体外への排出効果を付与することを目的として、上述の粘着性の含水ゲルと吸収材を組み合わせた汗吸収機能を備えた冷却シートが提案されている（例えば、特許文献３など）。
【先行技術文献】
【特許文献】
【０００３】
【特許文献１】特開２００９−７２３８３号公報
【特許文献２】特開２０１０−２８４５１９号公報
【特許文献３】特開２００８−２５５５４３号公報
【発明の概要】
【発明が解決しようとする課題】
【０００４】
しかしながら、夏場等においては、身体から汗等の体液を吸収させ、使用感が良好な冷却シートが望まれている。また、体液を吸収させた冷却シートが、長時間皮膚に密着状態となるため、使用感が不快なものとならないようにする必要がある。さらに、足裏に貼付する場合においては、冷却シートの形状がコンパクトでなければならない。
【０００５】
そこで、本発明は、足裏等の身体に貼付可能で、冷却効果に優れ、身体から排出された体液を吸収させることにより使用感が良好な吸水性冷却貼付シートを提供することを目的とする。
【課題を解決するための手段】
【０００６】
第１の態様に係る吸水性冷却貼付シートは、体液透過性を有する袋体と、身体に貼付させるための粘着層を備え、前記袋体に、冷却用組成物として、硝酸アンモニウムと、吸収材と、糖とが封入され、前記身体から排出された体液を吸収することによって、身体の貼付部位を冷却することを特徴とする。
【０００７】
第２の態様に係る吸水性冷却貼付シートは、第１の態様に係る吸水性冷却貼付シートであって、前記冷却用組成物が、硝酸アンモニウムを５０〜９０重量％、吸収材を５０〜９０重量％、糖を５０〜９０重量％含む。
【０００８】
第３の態様に係る吸水性冷却貼付シートは、第１の態様または第２の態様に係る吸水性冷却貼付シートであって、糖が、ソルビトール、キシリトール、エリスリトールからなる群より選ばれる少なくとも１種である。
【０００９】
第４の態様に係る吸水性冷却貼付シートは、第１から第３のいずれかの態様に係る吸水性冷却貼付シートであって、前記冷却用組成物が、さらに吸収材を含む。
【００１０】
第５の態様に係る吸水性冷却貼付シートは、第４の態様に係る吸水性冷却貼付シートであって、吸収材が、木粉、キサンタンガム、グアガム、タマリンドシードガム、グルコマンナンからなる群より選ばれる少なくとも１種である。
【００１１】
第６の態様に係る吸水性冷却貼付シートは、第１から第５のいずれかの態様に係る吸水性冷却貼付シートであって、前記袋体が、外側シートと、身体に貼付する側に位置して、体液透過性を有する内側シートとから構成され、内面側に粘着層を有し、かつ前記外側シート周縁よりも外方に延びる巾広な固定シートを、前記外側シートの外面側に被着し、前記粘着層の少なくとも前記外側シート周縁より外方に延びた部分に離型紙を設けてなる。
【発明の効果】
【００１２】
第１の態様に係る吸水性冷却貼付シートによれば、体液透過性を有する袋体に水に溶解して冷却する硝酸アンモニウムを含む冷却組成物を封入し、冷却組成物にはあえて水を含ませずに、身体から排出された体液を吸収させて、吸収された体液に硝酸アンモニウムを溶解させることによって冷却する。したがって、冷却効果に優れ、身体から排出された体液を吸収させることにより使用感が良好な吸水性冷却貼付シートを提供することが可能となる。
【００１３】
第２の態様に係る吸水性冷却貼付シートによれば、優れた冷却効果を得ることができる。
【００１４】
第３の態様に係る吸水性冷却貼付シートによれば、冷却効果を向上させることが可能となる。
【００１５】
第４の態様に係る吸水性冷却貼付シートによれば、身体から排出された体液を保持することができ、貼付部位においてべたつきのない良好な使用感を得ることができる。
【００１６】
第５の態様に係る吸水性冷却貼付シートによれば、身体から排出された体液を吸収する効果が良好で、使用感のよい吸水性冷却貼付シートを得ることができる。
【００１７】
第６の態様に係る吸水性冷却貼付シートによれば、体液の排出を促す貼付対象部位に適切に貼付することが可能となり、効率よく体液を吸収することが可能となる。
【図面の簡単な説明】
【００１８】
【図１】本発明の第１実施形態である吸水性冷却貼付シートの構成を示す概略断面図である。
【図２】皮膚に貼付した状態の第１実施形態である吸水性冷却貼付シートの構成を示す概略断面図である。
【図３】本発明の第２実施形態である吸水性冷却貼付シートの構成を示す概略断面図である。
【図４】皮膚に貼付した状態の第２実施形態である吸水性冷却貼付シートの構成を示す概略断面図である。
【図５】貼付時間と足裏温度との関係を示すグラフである。
【発明を実施するための形態】
【００１９】
[第１実施形態]
図１は、本発明の第１実施形態である吸水性冷却貼付シート１Ａの構成を示す概略断面図である。吸水性冷却貼付シート１Ａは、体液透過性を有する袋体１０を備える。袋体１０は、外側シート７と、身体に貼付する側に位置して体液透過性を有する内側シート９の外周縁がヒートシールされて袋状に構成されたものである。袋体１０には、冷却用組成物４として、水に溶解する過程で吸熱現象を生じさせる硝酸アンモニウムと、糖とが封入されている。さらに、冷却用組成物４には、吸収材を封入させてもよい。また、外側シート７の周縁よりも外方に延びる巾広な固定シート５は、内面側に粘着層を有しており、外側シート７の外面側に被着される。本実施形態においては、このような構成を有することによって、体液の排出を促す貼付対象部位に適切に貼付することが可能となり、効率よく体液を吸収することが可能となる。
【００２０】
さらに、使用前の粘着層６を保護すべく、粘着層６の延出部分および内側シート９の外面側に離型紙１１が付着されている。第１実施形態においては、内側シート９を覆うように離型紙１１を設けているが、少なくとも粘着層６の延出部分のみに設けてもよい。そして、図２に示すように、離型紙１１をはがして、使用者の足裏等の皮膚２０に貼りつけて使用するものである。そして、身体の貼付部位から排出された体液が、内側シート９を透過して吸水性冷却貼付シート１Ａに吸収される。吸水性冷却貼付シート１Ａは、吸収された体液と袋体１０に封入されている水に溶解する過程で吸熱現象を生じさせる硝酸アンモニウムとが反応することによって、身体の貼付部位を冷却することを特徴とするものである。
【００２１】
冷却用組成物４に含まれる硝酸アンモニウムは、公知のものを使用することができる。硝酸アンモニウムは、５０〜７０重量％が好ましく、より好ましくは６０〜６６．６重量％である。硝酸アンモニウムが５０重量％未満の場合は冷却効果が十分でなく、硝酸アンモニウムが７０重量％を超える場合は、他の成分である糖や吸水材をバランスよく配合することが困難となり、冷却効果および使用感が悪くなる。
【００２２】
また、冷却用組成物４に糖を含ませることによって、冷却効果を向上させることが可能となる。糖は、ソルビトール、キシリトール、エリスリトールからなる群より選ばれる少なくとも１種である。冷却用組成物４に含まれる糖は、２０〜４０重量％が好ましく、より好ましくは３０〜３３．４重量％である。糖が２０重量％未満の場合、冷却効果が劣ることとなり、４０重量％を超える場合は、冷却効果が得られるのに十分な量の硝酸アンモニウムを配合できなくなる。
【００２３】
また、冷却用組成物４に吸水材を加えることによって、内側シート９を介して吸水された体液を保持することができるので、貼付部位においてべたつきのない良好な使用感を得ることができる。吸水剤は、公知のものを使用することができ、吸水性のある物質であれば特に限定されないが、例えば、木粉、キサンタンガム、グアガム、タマリンドシードガム、グルコマンナン、デンプン、デキストリン等の粉末、バーミキュライト、ケイ酸カルシウム、シリカゲル、ヒル石、パーライト、シリカ系多孔質物質、アルミナ、パルプ、木紛、デンプン、デキストリン、吸水性ポリマー等およびこれらの混合物があげられる。また、木紛、デンプン、デキストリン等の粉末に、ユーカリ、ヨモギ等の植物の葉などを粉末化したものを含有させて使用することも可能である。なお、必要に応じてその他の成分を加えることも可能である。これらの吸収材の中でも、木粉、キサンタンガム、グアガム、タマリンドシードガム、グルコマンナン等は、身体から排出された体液を吸収する効果が良好で、使用感もよいので、特に望ましい。
冷却用組成物４に含まれる吸水材は、０〜１６重量％が好ましく、より好ましくは１０重量％である。吸水材が１６重量％を超える場合は、体液の吸収能が良好となるが、十分な冷却効果が得られる量の硝酸アンモニウムおよび糖を配合できなくなる。
【００２４】
袋体１０を構成する外側シート７は、合成樹脂フィルムによって構成される。具体的には例えば、ポリエステル、ポリエチレン、ポリプロピレン、ポリアミド系樹脂、ポリエチレンテレフタート、エチレン−プロピレン共重合体、エチレン−酢酸ビニル共重合体、ポリ塩化ビニル樹脂、ポリ塩化ビニリデン樹脂、ポリスチレン系樹脂、ポリカーボネート系樹脂、ポリビニルアルコール系樹脂等、その他の公知の樹脂のフィルムを任意に選択して使用することができる。また、これらのシートは、単層または２種以上の多層構造にしてもよい。さらに、外側シート７は、水分の蒸発を抑制するために、合成樹脂フィルムに酸化珪素、アルミニウム、酸化アルミニウムなどを蒸着させててもよい。透明蒸着フィルムとしては、アルミニウムを蒸着した透明蒸着フィルムの場合、内部が僅かに見えるので特に好ましい。
【００２５】
固定シート５および袋体１０を構成する内側シート９は、合成樹脂からなる不織布によって構成される。不織布の原料となる合成樹脂としては、特に限定されるものではないが、ポリプロピレン繊維、ナイロン繊維、ビニロン繊維、ポリエステル繊維、ポリエチレン繊維などを用いることができる。不織布の製造方法としては、スパンボンド法、ニードルパンチ法、スパンレース法、サーマルボンド法、エアースルー法、などの公知の方法により製造することができる。内側シート９が不織布よりなるため、体液透過性が良好となり、体液の吸収および冷却の効果を向上させることが可能となる。
【００２６】
粘着層６は、固定シート５の内面側に設けられている。粘着層６の材質としては、皮膚に貼ることができるものであればとくに限定されないが、例えば、公知のアクリル系粘着剤や、ゴム系ホットメルト等の粘着剤等があげられる。
【００２７】
離型紙１１としては、基材となる紙と、粘着層６に接する剥離層から構成されている。基材および剥離層は公知のものを選択できる。また、図１の粘着層６のうち、貼付部位の皮膚２０に直接接触する外周部分にのみ離型紙１１を設けてもよい。
【００２８】
本実施形態によれば、体液透過性を有する袋体４に、水に溶解する過程で吸熱現象を生じさせる硝酸アンモニウムを含む冷却用組成物４を封入し、冷却用組成物４にはあえて水を含ませずに、身体から排出された体液を吸収させて、吸収された体液に硝酸アンモニウムを溶解させることによって冷却する。したがって、吸水性冷却貼付シート１Ａの優れた冷却効果により、皮膚に冷感を与え、べたつきのない良好な使用感を得ることができる。
[第２実施形態]
【００２９】
本発明の吸水性冷却貼付シートの第２実施形態では、片面側に粘着層を有する固定シートと、冷却用組成物が封入された袋体とが分離した構成となっている。図３は、本発明の第３実施形態である吸水性冷却貼付シート１Ｂの構成を示す概略断面図である。図４は、皮膚に貼付した状態の第３実施形態である吸水性冷却貼付シート１Ｂの構成を示す概略断面図である。第３実施形態の機能構成は、前述の第１実施形態と類似しているため、同様の構成については同じ符号を付して説明を省略し、異なる構成について説明する。
【００３０】
吸水性冷却貼付シート１Ｂにおいては、粘着固定シート１５と冷却シート１６とが分離した構成となっている。粘着固定シート１５は、片面側に粘着層６を有し、外側シート７の周縁よりも外方に延びる巾広な固定シート５と、使用前の粘着層６を保護するために粘着層６の外面側に付着された離型紙１１とを備える。冷却シート１６は、冷却用組成物４と冷却用組成物４を封入するための袋体１０とを備える。そして、図３，４に示すように、離型紙１１をはがして、使用者の足裏等の皮膚２０に貼りつけて使用するものである。第２実施形態の吸水性冷却貼付シート１Ｂにおいても、前述の第１実施形態と同様、熱によって老廃物を含む体液を体外に排出することを促進させ、より多くの体液を吸収させることが可能となる。また、粘着固定シート１５と冷却シート１６とが分離した構成となっているので、使用中に粘着固定シート１５の粘着力が低下した場合に、粘着固定シート１５のみを交換することも可能となる。
［実施例］
【００３１】
以下、本発明の吸水性冷却貼付シートを実施例および比較例をあげて説明するが、本発明はこれらの実施例に限定されるものではない。実施例１〜６および比較例１〜５ともに、第１実施形態と同様の形状の吸水性冷却貼付シートを作成した。また、実施例１〜６および比較例１〜５ともに、固定シートはポリプロピレン繊維の不織布を用い、外側シートはポリエステル層の外側にポリプロピレン層を積層した２層の樹脂フィルムにおいて、ポリエステル層の内側（内側シート側）にアルミ蒸着加工を行った。また、粘着剤はアクリル系粘着剤を用い、内側シートはポリプロピレン繊維の不織布を用いた。実施例および比較例の吸水性冷却貼付シートの貼付部分（内側シート）の大きさは、７５ｍｍ×４５ｍｍ、冷却用組成物の重量は、４．０ｇとした。実施例１〜６および比較例１〜５の冷却用組成物の構成を表１に示す。実施例１〜６および比較例１〜５では、糖としてソルビトールを用い、吸収材として木粉を用いた。比較例３では、袋体には吸収材である木粉のみを封入した。そして、離型紙を剥がして、成人男子の足裏に吸水性冷却貼付シートを貼り付けて測定を行った。
【００３２】
【表１】
2012176169.tif 000003
【００３３】
（１）貼付部位の温度
実施例１〜６および比較例１〜５について、吸水性冷却貼付シートを貼付した足裏の温度を測定した。
測定時の気温は１７℃前後、湿度３５％であった。貼付時間は２４０分まで測定した。吸水性冷却貼付シートと足裏の貼付部位との間に熱電対を貼り付け、足裏の表面温度の変化が記録できるようにセットした。
測定結果を図５に示す。図５は、貼付時間と足裏温度との関係を示すグラフである。グラフの横軸は貼付時間（分）を表し、グラフの縦軸は足裏表面の温度（℃）を表す。図５に示すように、実施例１〜６は、足裏表面の温度が下降していき、良好な冷却効果がみられたが、比較例１〜２，４〜５においては、２２℃付近までしか足裏表面の温度が下降しなかった。また、比較例３においては、２６〜２７℃前後の範囲しか推移しなかった。
【００３４】
（３）最低温度
足裏温度の測定値における最低温度について、実施例１〜６および比較例１〜５の評価結果を表２に示す。
【００３５】
【表２】
2012176169.tif 000004
【００３６】
測定値の最低温度について次の基準で評価した。
◎：２１℃未満
○：２１℃〜２２℃未満
△：２２℃〜２３℃未満
×：２３℃以上
表２に示すように、実施例１〜６は比較例１〜５と比較して、最低温度について良好であった。
【００３７】
（４）温度（冷却効果）持続性
足裏温度の測定値における温度（冷却効果）持続性について、実施例１〜６および比較例１〜５の評価結果を表２に示す。
測定値の温度（冷却効果）持続性について次の基準で評価した。評価基準となる足裏温度は、冷感が得られる２３℃とした。
◎：２３℃以下の持続時間が１５０分以上
○：２３℃以下の持続時間が１３０分〜１５０分未満
△：２３℃以下の持続時間が１１０分〜１３０分未満
×：２３℃以下の持続時間が１１０分未満
表２に示すように、実施例１〜６は比較例１〜５と比較して、温度（冷却効果）持続性について良好であった。
【００３８】
（５）最低温度までの経過時間
足裏温度の測定値における最低温度までの経過時間について、実施例１〜６および比較例１〜５の評価結果を表２に示す。
足裏温度が最低温度に到達するまでの時間に基づいて、最低温度までの経過時間を次の基準で評価した。
◎：５０分未満
○：５０分〜８０分未満
△：８０〜１００分未満
×：１００分以上
なお、比較例３は、足裏温度の最低温度が２５℃以下に達することがなかったので、評価結果を―とした。表２に示すように、実施例１〜６は比較例１〜５と比較して、最低温度までの経過時間について良好であった。
【００３９】
（６）べたつき感
実施例１〜６および比較例１〜５を足裏に貼付している間において、吸水性冷却貼付シートから浸み出した汗によるべたつき感について、実施例１〜６および比較例１〜５の評価結果を表２に示す。
べたつき感について次の基準で評価した。
◎：べたつき感がなく、さらっとしている。
○：べたつき感がほとんどない。
△：べたつき感が少し感じられる。
×：べたつき感が強い。
表２に示すように、実施例１〜６は比較例１〜５と比較して、べたつき感が少なく良好であった。
【００４０】
（７）冷却効果およびべたつき感における総合評価
上述の最低温度、温度（冷却効果）持続性、最低温度までの経過時間からなる冷却効果とべたつき感とを総合的に判断した実施例１〜６および比較例１〜５の総合評価結果を表２に示す。
総合評価について次の基準で評価した。
◎：最低温度、温度（冷却効果）持続性、最低温度までの経過時間、べたつき感についての評価結果が◎か○のみである。
○：最低温度、温度（冷却効果）持続性、最低温度までの経過時間、べたつき感についての評価結果が×がなく、△が１つ以下である。
△：最低温度、温度（冷却効果）持続性、最低温度までの経過時間、べたつき感についての評価結果が×を１つまたは△を２つ以上含む。
×：最低温度、温度（冷却効果）持続性、最低温度までの経過時間、べたつき感についての評価結果が×を２つ以上含む。
【００４１】
表２に示すように、試験の結果において、本発明の吸水性冷却貼付シートは、最低温度まで達するまでの時間が短く、最低温度や温度（冷却効果）持続性の点でも満足し得る性能が得られ、良好な冷却効果を示した。また、本発明の吸水性冷却貼付シートは、べたつき感が少なく、使用感が良好であった。
これに対し、比較例１は、硝酸アンモニウムの配合量が少なく、ソルビトールの配合量が多い形態であるが、最低温度までの経過時間で優れた結果を得られたものの、温度（冷却効果）持続性
が悪いものであった。比較例２は、硝酸アンモニウムの配合量が多く、ソルビトールの配合量が少ない形態であるが、最低温度までの経過時間で良好な結果を得られたものの、比較例１と同様、温度（冷却効果）持続性が悪いものであった。硝酸アンモニウムを配合していない比較例３は、冷却効果が得られなかった。比較例４も、比較例２と同様の結果であった。比較例５においては、結果より、硝酸アンモニウムのみを多く配合しても最低温度までの経過時間、最低温度、温度（冷却効果）持続性、べたつき感の全ての点で劣ることが判明した。
本発明の吸水性冷却貼付シートは、冷却用組成物４に含まれる硝酸アンモニウムが５０〜７０重量％かつ糖が２０〜４０重量％という配合割合であることによって、冷却能力および冷却時間が良好となるとともにべたつきのない使用感が得られ、身体にとって快適に冷感を付与させることが可能となることが示された。
【００４２】
以上、この発明の実施形態について説明したが、この発明は上記説明した内容のものに限定されるものではない。上記実施形態で説明した構成は、矛盾が生じない限り適宜一部の構成を入れ換えてもよい。
【符号の説明】
【００４３】
１  吸水性冷却貼付シート
４  冷却用組成物
５  固定シート
６  粘着層
７  外側シート
９  内側シート
１０  袋体
１１  離型紙
【図１】
2012176169.tif 000005
【図２】
2012176169.tif 000006
【図３】
2012176169.tif 000007
【図４】
2012176169.tif 000008
【図５】
2012176169.tif 000009